(57)【特許請求の範囲】
【請求項１】
入院病棟のベッドのヘッドボードなどの被取付部にフックを介して吊り下げられる筐体を含み、
上記筐体には、上記ベッドに臥せている患者の動きを検知するスイッチ作動部を抜き差し可能な開口部と、上記スイッチ作動部の抜き差しに応じてオンオフするスイッチを含む体動検出回路とが備えられているとともに、
上記筐体の底面側には、上記体動検出回路からの信号をナースステーションなどに設置されている監視手段に送信するケーブルが所定の固定手段を介して接続されている入院患者の体動検出装置において、
上記筐体は、その裏面側に上方より上記フックのフック基端部が差し込まれるフック係止部を備え、上記フック係止部内には、上記フック基端部と対向する弾性変形可能なアームが配置されており、上記フック基端部と上記アームとの間には、上記ケーブルが下方に引っ張られた際に、上記固定手段よりも先に外れる凸部と凹部との雌雄嵌合よりなる係止手段が設けられていることを特徴とする入院患者の体動検出装置。
【請求項２】
上記凸部が四角柱状として上記アーム側に設けられ、上記凹部が上記凸部に合致する四角状の凹部として上記フック基端部側に設けられ、上記凸部と上記凹部の各下面側には、上記フックの抜け方向に沿って傾斜する傾斜面が形成されていることを特徴とする請求項１に記載の入院患者の体動検出装置。
【請求項３】
上記凸部が四角柱状として上記フック基端部側に設けられ、上記凹部が上記凸部に合致する四角状の凹部として上記アーム側に設けられ、上記凸部と上記凹部の各上面側には、上記フックの抜け方向に沿って傾斜する傾斜面が形成されていることを特徴とする請求項１に記載の入院患者の体動検出装置。
【請求項４】
上記凸部が半球状の突起からなり、上記凹部が上記凸部に合致する半球状の凹部からなることを特徴とする請求項１に記載の入院患者の体動検出装置。
【発明の詳細な説明】
【技術分野】
【０００１】
本発明は、病院施設で使用される入院患者の体動検出装置に関し、さらに詳しく言えば、患者の体の動き（体動）を検出する装置本体と、その装置本体に接続されてナースステーションなどの監視手段へと信号を送信するケーブルの断線を防止するようにした入院患者の体動検出装置に関するものである。
【背景技術】
【０００２】
ほとんどの場合、入院病棟の各ベッドにはナースコールと呼ばれる押しボタンスイッチが設けられており、必要に応じてナースステーションに連絡できるようになっているが、これはあくまで患者の意思によって使用される。
【０００３】
ところが、歩行に手助けを必要とする患者の中には、遠慮して看護婦を呼ぶことなく、一人で起き上がりベッドから降りる際に転倒してしまうなどの事故例が後を絶たない。また、痴呆症の患者に至っては、勝手にベッドから離れて徘徊してしまうため、看護者には大変なものがある。
【０００４】
そこで、一部の病院では、マットレスや床下に重量を検知するマットセンサを敷き込み、そのセンサからの信号により、ナースステーションに居ながらにして、患者がベッドから起き上がることを知るようにしている。
【０００５】
また、ベッドのヘッドボード当たりなどに体動検出装置を取り付け、この体動検出装置から検出された信号をナースステーションに送信して、患者がベッドから起き上がったことを知らせるものもある（下記特許文献１参照）。
【０００６】
この従来の体動検出装置は、図８に示すように、内部に体動検出回路が組み込まれている筐体１と、筐体１の体動検出回路をナースステーションなどに設置されている図示しない監視手段に接続するためのケーブル２とを備えている。
【０００７】
筐体１には、患者の動きを検知するスイッチ作動部としてのスイッチ作動片３を抜き差し自在に受け入れる開口部４が設けられている。この例において、スイッチ作動片３は、図示はされていないが、一端に患者の衣服に係止される係止具を備えた連結紐の他端に取り付けられている。
【０００８】
スイッチ作動片３は板材からなり、このスイッチ作動片３を、筐体１の開口部４へと抜き差しすることにより体動検出回路のマイクロスイッチがオンオフされるが、この例では、スイッチ作動片３が開口部４内へと差し込まれている状態がオフとされている。
【０００９】
筐体１には、図８（ｂ）に示すように、その底面１ａに体動検出回路の出力端子としてレセプタクル５が備えられており、このレセプタクル５にケーブル２の接続プラグ２ａが接続されるが、本実施形態では、レセプタクル５とケーブル２とはナットリングＮなどの固定手段により固定されている。
【００１０】
筐体１の裏面側には、図示しないベッドのヘッドボードなどに引っかけるためのフック６が備えられているが、筐体１とフック６とが外れないように、筐体１とフック６とは、例えば、ネジＳなどの固定手段により固定されている。
【００１１】
この従来の体動検出装置によると、患者がベッドから起き上がると図示しない連結紐によりスイッチ作動片３が引っ張られて筐体１の開口部４から抜け、これにより体動検出回路のマイクロスイッチがオンとなる。なお、スイッチ作動片３は、図８（ａ）に示すように、表裏いずれの方向から開口部４へとセットできるようになっている。
【００１２】
そして、その信号がケーブル２を介してナースステーションなどに設置されている監視手段の端末コンセントに送信されることから、看護士や介助者がナースステーションに居ながらにして患者がベッドから起き上がったことを知ることができる。
【先行技術文献】
【特許文献】
【００１３】
【特許文献１】特開２００２−１４３０９９号公報
【発明の概要】
【発明が解決しようとする課題】
【００１４】
しかしながら、上記のような従来の体動検出装置では、フック６を介して、筐体１をベッドのヘッドボードやサイドフレームのバーなどに設置するようにしているため、ケーブル２が筐体１の底面１ａ側から床面側に垂れ下がっている。そのため、ベッド清掃時や患者の移動などの作業中に際しては邪魔な存在となっていた。
【００１５】
また、そればかりでなく、筐体１とケーブル２とがナットリングＮなどによって固定されているため、上記のような作業中に誤ってケーブル２に引っかかり、ケーブル２が強い力で引っ張られると、レセプタクル５の固定部分が破損したりケーブル２が断線するなどの事故が起きているという問題が提起されていた。
【００１６】
その対策としては不良箇所を修理すればよいが、筐体１とケーブル２とが固定されているため、ケーブル２のみならず筐体１も共に修理に出さなければならず、代替品の準備も含めて費用負担が多く、コスト的に好ましくない。
【００１７】
そこで、本発明は、既存の体動検出装置の構成に簡単な構成を追加することにより、ケーブルが引っ張られることによるケーブルの断線および筐体側の故障などを回避し、修理コストのみならず導入にあたっての費用負担も抑えることができるようにした体動検出装置を提供することにある。
【課題を解決するための手段】
【００１８】
上記課題を解決するため、請求項１に係る発明は、入院病棟のベッドのヘッドボードなどの被取付部にフックを介して吊り下げられる筐体を含み、上記筐体には、上記ベッドに臥せている患者の動きを検知するスイッチ作動部を抜き差し可能な開口部と、上記スイッチ作動部の抜き差しに応じてオンオフするスイッチを含む体動検出回路とが備えられているとともに、上記筐体の底面側には、上記体動検出回路からの信号をナースステーションなどに設置されている監視手段に送信するケーブルが所定の固定手段を介して接続されている入院患者の体動検出装置において、上記筐体は、その裏面側に上方より上記フックのフック基端部が差し込まれるフック係止部を備え、上記フック係止部内には、上記フック基端部と対向する弾性変形可能なアームが配置されており、上記フック基端部と上記アームとの間には、上記ケーブルが下方に引っ張られた際に、上記固定手段よりも先に外れる凸部と凹部との雌雄嵌合よりなる係止手段が設けられていることを特徴としている。
【００１９】
請求項２に係る発明は、上記請求項１において、上記凸部が四角柱状として上記アーム側に設けられ、上記凹部が上記凸部に合致する四角状の凹部として上記フック基端部側に設けられ、上記凸部と上記凹部の各下面側には、上記フックの抜け方向に沿って傾斜する傾斜面が形成されていることを特徴としている。
【００２０】
請求項３に係る発明は、上記請求項１において、上記凸部が四角柱状として上記フック基端部側に設けられ、上記凹部が上記凸部に合致する四角状の凹部として上記アーム側に設けられ、上記凸部と上記凹部の各上面側には、上記フックの抜け方向に沿って傾斜する傾斜面が形成されていることを特徴としている。
【００２１】
請求項４に係る発明は、上記請求項１において、上記凸部が半球状の突起からなり、上記凹部が上記凸部に合致する半球状の凹部からなることを特徴としている。
【発明の効果】
【００２２】
本発明によれば、フックの基端部と筐体のアームとの間にケーブルが下方に引っ張られた際に、筐体へのケーブルの固定手段よりも先に外れる凸部と凹部との雌雄篏合よりなる係止手段を設けたことにより、例えば、ケーブルが何らかの原因で引っ張られたとしても、その引張力によりフック部と筐体との雌雄嵌合が解除されてフック部と筐体とが分離されるため、筐体に固定されているケーブルが断線などにより損傷することを回避できる。
【００２３】
また、フックの基端部と筐体のアームとの凹部と凸部との嵌合面をフックの抜け方向に沿って傾斜する傾斜面としたことにより、小さい引張力であってもその雌雄嵌合を解除させることができ、フックと筐体とを容易に分離させるとができる。
【図面の簡単な説明】
【００２４】
【図１】本発明に係る体動検出装置の一例を示す（ａ）斜視図、（ｂ）側面図。
【図２】本発明に係る体動検出装置の一例を示す説明図。
【図３】本発明に係る体動検出装置の筐体とフックとの関係を示す説明図。
【図４】本発明に係る体動検出装置に抜き差しされる作動スイッチを筐体とともに示す斜視図。
【図５】本発明に係る体動検出装置に抜き差しされる作動スイッチとマイクロスイッチとの関係を示す説明図。
【図６】本発明に係る体動検出装置に抜き差しされる作動スイッチとマイクロスイッチとの関係を示す説明図。
【図７】本発明に係る体動検出装置に組み込まれる体動検出回路を示した回路構成図。
【図８】従来の体動検出装置の一例を示す（ａ）正面側からみた斜視図、（ｂ）裏面側からみた斜視図。
【発明を実施するための形態】
【００２５】
次に、図面を参照して本発明の実施形態について説明する。この体動検出装置は、内部に後述する体動検出回路１１（図７参照）が組み込まれている筐体１０と、筐体１０の体動検出回路１１をナースステーションに設置されている図示しない監視手段に接続するためのケーブル２０とを備えている。
【００２６】
筐体１０には、図１および２に示すように、その底面１０ａに体動検出回路１１の出力端子としてレセプタクル１２が備えられており、このレセプタクル１２にケーブル２０の接続プラグが接続されるが、本実施形態では、図示は省略したが、上記従来例と同様にレセプタクル１１とケーブル２０とは図示しないナットリングなどの固定手段により固定されている。
【００２７】
また、筐体１０には、ベッドのヘッドボードやサイドレールなどの被取付部Ｒ（図３参照）に吊り下げるためのフック３０が取り付けられるようになっており、フック３０は、図２に示すように、裏面１０ｂ側に形成されたフック係止部１７に差し込まれるようになっている。
【００２８】
フック係止部１７は、図２に示すように、筐体１０の後内壁の一部分を弾性変形可能として切り起こして設けられており、その先端に凸部１８が形成されている。凸部１８は、可撓性ある樹脂材から形成されているが、この例では、その上方から下方に向かって徐々に突出幅が大きくされた断面視テーパ形状とされている。
【００２９】
また、フック係止部１７の凸部１８は、後述するフックに形成された凹部３１に係止されるようになっており、凸部１８の底面１８ａは、凹部３１の凸部１８の係止面３１ａと合致する傾斜面とされている。
【００３０】
フック３０は可撓性ある樹脂材からなり、その基端部３０ａには四角形状の凹部３１が形成されており、この凹部３１の開口３２内に筐体１０のフック係止部１７の凸部１８を係止させて凹部３１と凸部１８とを雌雄篏合することにより、フック３０が筐体１０に取り付けられるようになっている。
【００３１】
また、フック３０の自由端部３０ｂ側は、その内側から外側へとほぼく字状に折り曲げられており、これにより、フック部３１が被取付部Ｒに取り付けられたときに被取付部Ｒから容易に脱落しないようにされている。
【００３２】
本実施形態において、フック３０の凹部３１は、フック係止部１７の凸部１８の底面１８ａを係止する係止面３１ａと、その隣接面３１ｂ（凹部３１の開口３２との対向面）との直線角が９０°以上の鈍角とされ、図２に示すように、開口３２側に向かって下方側に徐々に傾斜された傾斜面とされている。
【００３３】
これにより、フック３０の凹部３１の係止面３１ａとフック係止部１７の凸部１８の底面１８ａとは、フック３０の抜け方向に傾斜する傾斜面とされており、小さな力でもフッフック３０の凹部３１とフック係止部１７の凸部１８との係止状態を解除させることができる。
【００３４】
そのため、図３（ａ）に示すように、フック３０を介して被取付部Ｒに吊り下げられた筐体１０が、ケーブル２０を介して下方側（矢印Ａ１側）に引っ張られたときには、フック３０の凹部３１と筐体１０の凸部１８との嵌合状態が解除され、図３（ｂ）に示すように、筐体１０がケーブル２０とともにフック３０から分離させることができる（矢印Ａ２参照）。
【００３５】
また、フック３０の凹部３１の係止面３１ａとフック係止部１７の凸部１８の底面１８ａとをフックの抜け方向に沿って傾斜する傾斜面としているため、筐体１０に固定されているケーブル２０が小さな力で引っ張られたとしても、筐体１０とフック３０との嵌合状態を容易に解除させることができるため、引っ張られることによるケーブル２０の断線やその接続部分の故障を防ぐことができる。
【００３６】
図４〜６を参照して、筐体１０には、患者の動きを検知するスイッチ作動部としてのスイッチ作動片１３を抜き差し自在に受け入れる開口部１４が設けられている。この例において、スイッチ作動片１３は、図示はされていないが、従来例と同様に、一端に患者の衣服に係止される係止具を備えた連結紐の他端に取り付けられている。
【００３７】
また、筐体１０内には、その開口部１４に隣接するように配置されていて、スイッチ作動片１３の抜き差しによってオンオフされるマイクロスイッチ１５を含む体動検出回路１１が収納されている。
【００３８】
また、この実施形態において、筐体１０にはメインスイッチ１６が設けられており、このメインスイッチ１６をオンにすることにより患者の監視状態に入るようになっている。
【００３９】
ここで、この体動検出装置の使用方法を説明すると、まず、筐体１０をフック３０を介してベッドのヘッドボードなどの被取付部に設置する。そして、メインスイッチ１６をオフとして、ケーブル２０の図示しない他方の接続プラグを監視手段の端末コンセントに接続するとともに、一方の接続プラグを体動検出回路１１のレセプタクル１２に接続する。
【００４０】
次に、ベッドの上に患者を寝かせて図示しない連結紐の係止具を患者の衣服に取り付け、連結紐のスイッチ作動片１３を筐体１０の開口部１４内に差し込む。これにより、マイクロスイッチ１５がオフ状態となる。
【００４１】
そして、メインスイッチ１６をオンにして患者の監視状態に入る。患者が起き上がると、連結紐によりスイッチ作動片１３が引っ張られて筐体１０の開口部１４から抜ける。これにより、体動検出回路１１のマイクロスイッチ１６がオンとなり、その信号がケーブル２０を介してナースステーションなどの監視手段に送信される。
【００４２】
図５および図６に示すように、スイッチ作動片１３は、筐体１０の開口部１４へと抜き差しすることにより、マイクロスイッチ１５をオンオフさせるようになっており、患者が起き上がったとき、すなわち、スイッチ作動片１３が筐体１０の開口部１４から抜かれたときに、マイクロスイッチ１５が動作するようになっている。
【００４３】
また、本実施形態において、スイッチ作動片１３は、その一端側に段差部が設けられており、この段差部が開口部周辺と当接するストッパ部１３ａとされており、スイッチ作動片１３の他端側は、マイクロスイッチ１５のスイッチ片１５ａと接触する面とされている。
【００４４】
スイッチ作動片１３は、通常、表裏のいずれの方向からも抜き差し可能とされているが、本実施形態では、例えば、スイッチ作動片１３のストッパ部１３ａが設けられている面を表面とすると、表面の他端側には凹部１３ｂが形成されているが、裏面の他端側は平滑面１３ｃとされている。
【００４５】
そのため、図５に示すように、スイッチ作動片１３が表面を上としてマイクロスイッチ１５のスイッチ片１５ａと接触している状態から矢印Ｂ方向に引き抜くと、スイッチ片１５ａが凹部１３ｂに引っ掛かり、スイッチ作動片１３が開口部１４から抜けにくくなる。
【００４６】
これに対して、図６に示すように、スイッチ作動片１３が裏面を上向きとしてマイクロスイッチ１５のスイッチ片１５ａと接触している状態から矢印Ｂ方向に引き抜くと、スイッチ片１５ａは平滑面１３ｃ上をスムースに滑り、スイッチ作動片１３は開口部１４から容易に抜けることになる。
【００４７】
そのため、スイッチ作動片１３の一方の面の接触部１３ｂに凹部１３ｂを設けることにより、スイッチ作動片１３の抜き力に変化を加えることで、マイクロスイッチ１５の動作に変化を与えるようになっている。
【００４８】
例えば、ある程度動いても良い患者に対してはマイクロスイッチ１５が凹部１３ｂと接触するように、また、厳重に動きを規制しなければならない患者に対してはマイクロスイッチ１５が平滑面１３ｃと接触するように、スイッチ作動片１３を開口部１４へとセットすればよい。
【００４９】
このように、スイッチ作動片１３の開口部１４への抜き方向を変化させることで、入院患者の状況に応じた体動検出が可能となり、看護側の負担を抑えることができるようになっている。
【００５０】
なお、上記実施形態では、筐体１０とフック３０との係止手段として、筐体１０側に凸部１８を形成し、フック３０側に凹部３１を形成した例で説明したが、これに限られることはなく、例えば、筐体１０側に凹部を形成し、フック３０側に凸部を形成してもよい。
【００５１】
この場合には、筐体１０の凹部とフック３０の凸部の各上面側にフックの抜け方向に沿って傾斜する傾斜面を形成することにより、凹部と凸部の雌雄篏合を容易に解除することができ、小さな力であっても筐体１０とフック３０とを分離することができる。
【００５２】
また、上記実施形態では、筐体１０とフック３０との係止手段として、四角柱状の凸部と四角状の凹部の例で説明したが、凹部と凸部とで雌雄篏合できる形状であればよく、例えば、凸部を半球状の突起とし、凹部をその凸部と合致する半球状の凹部としてもよい。
【符号の説明】
【００５３】
１０  筐体
１０ａ  底面
１０ｂ  裏面
１１  体動検出回路
１２  レセプタクル
１３  スイッチ作動片
１４  開口部
１５  マイクロスイッチ
１６  メインスイッチ
１７  フック係止部
１８  凸部
１８ａ  底面
２０  ケーブル
３０  フック
３０ａ  基端部
３０ｂ  自由端部
３１  凹部
３１ａ  係止面
３１ｂ  隣接面
３２  開口
【図１】
0005814787.tif 000002
【図２】
0005814787.tif 000003
【図３】
0005814787.tif 000004
【図４】
0005814787.tif 000005
【図５】
0005814787.tif 000006
【図６】
0005814787.tif 000007
【図７】
0005814787.tif 000008
【図８】
0005814787.tif 000009